(57)【要約】【課題】軸部材に上下移動可能に配された操作部材の上げ下げの動きで、ラック・ピニオンギアを介して対の翼状部材である可動部材が回動し、キャラクターを模したもう一つの可動部材が上下に動くようにし、より面白味のある動きをする装飾体を備えた筆記具を提供する。【解決手段】軸部材２側の操作部材３を、ラック・ピニオンギア機構を介して装飾体本体１４に突没可能に配された第一可動物１８と装飾体本体の側方から上方にかけて回動動作する対の第二可動物１９とに連係した。【選択図】図１
0003166120.tif 000002
【実用新案登録請求の範囲】
【請求項１】
軸部材の内部に、上下移動可能にしてかつ軸部材に対して係脱可能にして芯出し入れ用の操作部材と復帰バネとを設け、前記操作部材の上部に延設した支柱部材に、装飾体本体を前記軸部材の軸端に固定された装飾体の可動部材を連係してなる筆記具において、
装飾体の前記装飾体本体は、内部から上方に向けて開放された第一開口と装飾体本体の両側部に位置して装飾体本体内に通じる二つの第二開口とを有していて、
前記可動部材は、装飾体本体の内部に位置して前記第一開口を介して装飾体本体の外部に向けて凸没可能にしたキャラクター形態を象る第一可動物と、基端が前記第二開口で枢支されてこの第二開口での枢支位置から装飾体本体内に延設された支持ステーを備え、前記第一開口の上方位置から装飾体本体の側方位置に回動可能にして第一開口の上方位置でこの第一開口に没した前記第一可動物の上方を覆う翼状形状を象った対の第二可動物とからなり、
前記第一可動物の下部に前記第二可動物の前記支持ステーが移動可能に連結されているとともに、前記第一可動物の下部から下方に第一ラックギア体が延設され、この第一ラックギア体が噛合する装飾体本体に内設のピニオンギア体に噛合して第一ラックギア体とは反対方向に移動する第二ラックギア体が、前記支柱部材に連結されていて、前記操作部材を押し下げる芯出し操作による第二ラックギアの下方移動に伴った前記第一ラックギア体の上方移動により、第二可動物が第一開口を開く回動をして第一可動物が第一開口から突出する構成としたことを特徴とする可動部材を有する装飾体を軸端に備えた筆記具。
【考案の詳細な説明】
【技術分野】
【０００１】
本考案はノック式のボールペンやシャープペンなどの軸部材の軸端に設けた装飾体の一部が側面操作での芯体の出し入れに応じて上下動する筆記具に関するものである。
【背景技術】
【０００２】
ノック式のボールペンやシャープペンなどの筆記具の内、側面で操作をして芯体が出し入れできるようにしたものがある。このタイプの筆記具は、先細りして先端に芯先が出入りできる芯孔を備えた軸部材に芯体を挿入するとともに、軸部材の側面に開口した係止孔に係脱可能に係止する芯先出し入れ用の操作部材を芯体の上端（芯先とは反対側）となるようにしてその軸部材内に設けている。そして、前記係止孔に操作部材が係止することで芯先が芯孔から突出しない状態となり、また、軸部材の側面での操作となる操作部材の一部が、前記係止孔の下部にある長孔状の操作孔に表われていて、この部分を、軸部材に配されている復帰バネの反発力に抗して押し下げて、操作部材の前記係止孔に係止していた部分が抜け出て下方に移動し、係止孔の下方にある孔、例えば操作孔の上端に係止することで、芯体の芯先が芯孔から出た状態が維持できる。芯体を戻す場合は、操作孔の位置で突出している操作部材を軸部材の内側に向けて押して操作孔の上端に係止していた部分を外せばよく、復帰バネによって芯体が上方に移動し、再び係止孔に操作部材の一部が係止して芯先が軸部材内に収められる。
【０００３】
さらにこのタイプの筆記具では、軸部材内の上記操作部材の上部に支柱部材を上方に向けて延設し、その支柱部材に、装飾体本体を前記軸部材の軸端に固定した装飾体の可動部分を連係して、その可動部材を、芯体の出し入れをするときの操作部材の操作に応じて上下動できるようにし、装飾体の一部が動くことで筆記具に玩具のような面白さを付加させる工夫も提案されている。例えば、特許文献１に示すように、装飾体全体を小鳥の形態に似せた形状とし、羽根に相当する部位を可動部材としながら小鳥形状の装飾体本体に対して可動部材が羽ばたく動作が、操作部材の上げ下げに応じて行なわれるようにしたものがある。また、特許文献２に示すように、ラック・ピニオンギアを装飾体の内部に組み入れて、操作部材の上げ下げ操作に応じて二つの可動部材が動作するようにした工夫も提案されている。
【先行技術文献】
【特許文献】
【０００４】
【特許文献１】実開平０６−０７４３８６号公報
【特許文献２】実用新案登録第３０７６５８２号公報
【考案の概要】
【考案が解決しようとする課題】
【０００５】
しかしながら、上述したラック・ピニオンギアを利用して可動部材を動作させるようにした後者のものでは、一つの可動部材が出入する開口をもう一つの可動部材が開閉するという単純な構成であるため、玩具的な面白味に欠けるという問題がある。そして、前者のものでは対の可動部材を上下に動作させるものであることから、装飾体全体を小鳥などの形態を模して装飾体に面白味を付加させる効果があるが、この一対の可動部材を動作させる機構と後者の二つの可動部材に異なる動作を行なわせる機構とを組み合わせて、対の翼状部材を備えて鳥などを模した具体的な形状を呈する装飾体に、前記翼状部材とは異質の動作をする可動部材を備えるようにしたものは存在していなかった。
【０００６】
そこで本考案は上記事情に鑑み、軸部材に上下移動可能に配された操作部材の上げ下げの動きで、ラック・ピニオンギアを介して対の翼状部材である可動部材が回動し、キャラクターを模したもう一つの可動部材が上下に動くようにすることを課題とし、より面白味のある動きをする装飾体を備えた筆記具を提供することを目的とするものである。
【課題を解決するための手段】
【０００７】
本考案は上記課題を考慮してなれたもので、軸部材の内部に、上下移動可能にしてかつ軸部材に対して係脱可能にして芯出し入れ用の操作部材と復帰バネとを設け、前記操作部材の上部に延設した支柱部材に、装飾体本体を前記軸部材の軸端に固定された装飾体の可動部材を連係してなる筆記具において、
装飾体の前記装飾体本体は、内部から上方に向けて開放された第一開口と装飾体本体の両側部に位置して装飾体本体内に通じる二つの第二開口とを有していて、
前記可動部材は、装飾体本体の内部に位置して前記第一開口を介して装飾体本体の外部に向けて凸没可能にしたキャラクター形態を象る第一可動物と、基端が前記第二開口で枢支されてこの第二開口での枢支位置から装飾体本体内に延設された支持ステーを備え、前記第一開口の上方位置から装飾体本体の側方位置に回動可能にして第一開口の上方位置でこの第一開口に没した前記第一可動物の上方を覆う翼状形状を象った対の第二可動物とからなり、
前記第一可動物の下部に前記第二可動物の前記支持ステーが移動可能に連結されているとともに、前記第一可動物の下部から下方に第一ラックギア体が延設され、この第一ラックギア体が噛合する装飾体本体に内設のピニオンギア体に噛合して第一ラックギア体とは反対方向に移動する第二ラックギア体が、前記支柱部材に連結されていて、前記操作部材を押し下げる芯出し操作による第二ラックギアの下方移動に伴った前記第一ラックギア体の上方移動により、第二可動物が第一開口を開く回動をして第一可動物が第一開口から突出する構成としたことを特徴とする可動部材を有する装飾体を軸端に備えた筆記具を提供して、上記課題を解消するものである。
【考案の効果】
【０００８】
本考案によれば、対の第二可動物と装飾体本体との組み合わせで鳥などの具象性を高めた形態を表現できるとともに、装飾体本体から第一可動物を突出させることで奇抜さを持った動きのある装飾体となり、面白味がより高められた筆記具が得られる。
【図面の簡単な説明】
【０００９】
【図１】本考案に係る装飾体を軸端に備えた筆記具の一例を示す説明図である。
【図２】一例における装飾体を示すもので（イ）は正面から見た状態を示す説明図、（ロ）はピニオンギア位置での断面を示す説明図である。
【図３】第二可動物を開いた状態を示す説明図である。
【図４】第一可動物が突出した状態を示す説明図である。
【考案を実施するための形態】
【００１０】
つぎに本考案を図１から図４に示す実施の形態に基づいて詳細に説明する。
図中１は筆記具で、該筆記具１は、軸部材２の内部に、上下移動可能にしてかつ軸部材２に対して係脱可能にして芯出し入れ用の操作部材３と復帰バネ４とが挿入されていて、図示するように芯体５の上部に配置された前記操作部材３の係止突起６が軸部材２の軸端７より下方の側面に開口位置する係止孔８に係止していることで、芯先を突出させずに芯体５が軸部材２の内部に配され、また、前記係止孔８より下方に開口位置する縦長の操作孔９に突出している操作部材３の操作突起１０を押して係止孔８から係止突起６を外しながら押し下げ、これに伴って芯体５が下がり、前記係止突起６が操作孔９の上端部分に係止することで復帰バネ４の復元力に抗する状態で芯先が突出し、筆記できるようになる。そして、操作部材３を押して係止突起６を操作孔９から外せば、復帰バネ４の復元力によって操作部材３と芯体５とが共に上方に移動して芯先が軸部材内に入り、係止突起６が係止孔８に係止した元の状態に戻るものである。
【００１１】
軸部材２の軸端７には装飾体１１が配されている。この装飾体１１は、前記軸端７に取付固定した筒状の取付部１２の上部に水鳥の形態を象る装飾部１３を設けて軸部材の内空間に通じる中空の装飾体本体１４と、可動部材１５とからなるものである。そして、前記装飾体本体１４にあっては、図示されているように軸部材２の上方側への延長線上となる位置での上面側に装飾体本体１４の内部から上方に向けて開放されて外部に通じる第一開口１６を有するとともに、前記第一開口１６の両側部で装飾部１３の側面となる位置それぞれに装飾体本体内に通じる第二開口１７を有している。
【００１２】
また、可動部材１５は、上記装飾体本体１４の第一開口１６に対応位置して動物を象ってキャラクターを表現した形状としている第一可動物１８と、上記第二開口１７に対応位置し、装飾体本体が表現する水鳥の形状に則した翼状形状を象る一対の第二可動物１９とからなるものである。そして、後述するように第一可動物１８は装飾体本体１４の内部に位置して第一開口１７を介して装飾体本体１４の外部に向けて凸没する動作が行なわれるようにしている。また、対の第二可動部１９それぞれは、基端が第二開口１７で枢支されてこの第二開口１７での枢支位置から装飾体本体内に延設された支持ステー２０を備えており、第一開口１６の上方位置から装飾体本体１４の側方位置に回動可能とされ、第一開口１６の上方位置で第一開口１６に没した前記第一可動物１８の上方を覆う動作が行なえるように設けられている。
【００１３】
本考案では、上記第一可動物１８の動きと対の第二可動物１９の動きとが、上げ下げする上記操作部材３の動きに応じるようにラック・ピニオンギアを利用して、第一可動物１８と対の第二可動物１９とが操作部材３に連係している。図示されているように、まず、第一可動物１８の下部においてその左右に、上下方向に直交する方向に切り欠き状とした係止溝２１があって、その係止溝２１に第二可動物１９それぞれの支持ステー２０が移動可能に連結されており、第一可動物１８が第一開口１６に応じた位置で装飾体本体１４の内部側に沈み込んだ位置となっているときに、その第一可動物１８下の前記係止溝２１に支持ステー２０が係止している翼状形状の第二可動物１９それぞれが装飾体本体１４の側面に沿うようにして第一開口１６の位置にある第一可動物１８の上方を覆い、また第一可動物１８が第一開口１６にて外方に突出するように移動するときには、係止溝２１に移動可能に連結している支持ステー２１それぞれが押し上げられ、第二可動物１９それぞれが枢支位置を中心にして開く回動動作をすることで第一開口１６の上方から移動して開放し、所定高さまで移動する第一可動物１８とは衝突しないように設けられている。
【００１４】
ラック・ピニオンギアによる伝達機構の内の一つの平歯車である第一ラックギア体２２が、第一可動物１８の下部から下方に延設されている。また、この第一ラックギア体２２が噛合して回転可能なピニオンギア体２３が装飾体本体１４に内設されており、このピニオンギア体２３に噛合して第一ラックギア体２２とは反対方向に移動する第二ラックギア体２４が、上記操作部材３の上端に一体にした支柱部材２５に連結されている。なお、ピニオンギア体２３はこの実施の例では歯数が異なる二つのギアが組み合わされていて、歯数の大きいギアに第一ラックギア体２２が噛み合い、歯数の小さいギアに第二ラックギア体２４が噛み合っている。
【００１５】
このように操作部材３に対して、ラック・ピニオンギアによる伝達機構を介して第一可動物１８と第二可動物１９とが連係しており、操作部材３を押し下げる芯出し操作を行なうと、第二ラックギア体２４の下方移動に応じて前記第一ラックギア体２２が上方移動する。そして、第一可動物１８が上方に移動するとともに、その第一可動物１８の動作に伴って第二可動物１９が第一可動物１８の上方を開く回動をし、第一可動物１８が第一開口１１６から突出するようになる。また、操作部材３が上昇する芯戻しの操作が行なわれると、各部材が前述の動きとは逆方向に動作することとなり、第一可動物１８が没した状態となり第二可動物１９それぞれが閉じて第一可動物１８の上方を覆うようにしている。
【符号の説明】
【００１６】
１…筆記具
２…軸部材
３…操作部材
７…軸端
１１…装飾体
１２…取付部
１３…装飾部
１４…装飾体本体
１５…可動部材
１６…第一開口
１７…第二開口
１８…第一可動物
１９…第二可動物
２２…第一ラックギア体
２３…ピニオンギア体
２４…第二ラックギア体
２５…支柱部材
【図１】
0003166120.tif 000003
【図２】
0003166120.tif 000004
【図３】
0003166120.tif 000005
【図４】
0003166120.tif 000006